(57)【要約】【課題】ユーザの手を煩わせることなく、コンテンツを提示することができる。【解決手段】距離情報取得部は、実空間におけるユーザの現在位置からターゲットの位置までの距離を示す距離情報を取得し、再生制御部は、距離情報に応じて、拡張現実空間内でターゲットの位置に配置されるコンテンツの再生を制御することで、ユーザの手を煩わせることなく、コンテンツを提示することができる。本技術は、例えば、ユーザが身につけて持ち歩くことができるウェアラブル機器に適用することができる。【選択図】図４
2015037242.tif 000002
【特許請求の範囲】
【請求項１】
拡張現実空間内でターゲットの位置に配置されるコンテンツを受信する受信部と、
実空間におけるユーザの現在位置から前記ターゲットの位置までの距離を示す距離情報を取得する距離情報取得部と、
前記距離情報に応じて、前記コンテンツの再生を制御する再生制御部と
を備える受信装置。
【請求項２】
前記再生制御部は、前記コンテンツを、前記距離情報に応じて段階的に変化するように再生する
請求項１に記載の受信装置。
【請求項３】
前記ユーザの眼の前方に位置するように配置されて情報を表示するとともに、その表示領域を透明又は半透明な状態とすることができる表示部をさらに備え、
前記表示部は、再生中の前記コンテンツの映像を表示する
請求項２に記載の受信装置。
【請求項４】
再生中の前記コンテンツの音声を出力する音声出力部をさらに備える
請求項３に記載の受信装置。
【請求項５】
任意のセグメントによる放送であるエリア放送を受信するためのチャンネル情報を取得するチャンネル情報取得部をさらに備え、
前記受信部は、前記チャンネル情報を用いて、前記エリア放送を行う送信機から送信される放送波を受信することが可能な放送エリアにおいて、前記エリア放送のコンテンツを受信する
請求項４に記載の受信装置。
【請求項６】
前記距離情報取得部は、前記ユーザの現在位置と、前記チャンネル情報に含まれる前記送信機の送信点位置を用いて前記距離情報を算出する
請求項５に記載の受信装置。
【請求項７】
前記距離情報取得部は、前記ユーザの現在位置と、前記ターゲットの位置を用いて前記距離情報を算出する
請求項５に記載の受信装置。
【請求項８】
前記再生制御部は、前記チャンネル情報に含まれる距離基準情報を基準にして、前記コンテンツを、前記距離情報に応じて段階的に変化するように再生する
請求項５に記載の受信装置。
【請求項９】
前記再生制御部は、前記コンテンツの映像と音声のうち少なくとも一方の再生を段階的に変化させる
請求項８に記載の受信装置。
【請求項１０】
前記再生制御部は、前記ユーザの現在位置と、前記ターゲットの位置との距離が近づくに連れて、前記コンテンツの音声の音量が大きくなるようにする
請求項９に記載の受信装置。
【請求項１１】
前記ユーザの視線の方向を示す視線情報を取得する視線情報取得部をさらに備え、
前記再生制御部は、前記視線情報に応じて、前記コンテンツを再生する
請求項２に記載の受信装置。
【請求項１２】
前記再生制御部は、前記ユーザの視線が前記ターゲットの方向にある場合、前記コンテンツの映像又は音声を再生し、前記ユーザの視線が前記ターゲットの方向にない場合、前記コンテンツの映像を停止するか又は音声の音量を調整する
請求項１１に記載の受信装置。
【請求項１３】
前記受信装置は、左眼用と右眼用の一対の前記表示部を有する眼鏡型の無線通信機である
請求項３に記載の受信装置。
【請求項１４】
受信装置の受信方法において、
前記受信装置が、
拡張現実空間内でターゲットの位置に配置されるコンテンツを受信し、
実空間におけるユーザの現在位置から前記ターゲットの位置までの距離を示す距離情報を取得し、
前記距離情報に応じて、前記コンテンツの再生を制御する
ステップを含む受信方法。
【請求項１５】
任意のセグメントによる放送であるエリア放送のコンテンツを、受信機が受信するためのチャンネル情報であって、拡張現実空間でターゲットの位置に配置される前記エリア放送のコンテンツの再生の制御に用いられる情報を含む前記チャンネル情報を取得するチャンネル情報取得部と、
前記チャンネル情報を、前記受信機に送信する送信部と
を備える送信装置。
【請求項１６】
前記チャンネル情報は、実空間におけるユーザの現在位置から前記ターゲットの位置までの距離を示す距離情報の計算に用いられる送信機の送信点位置を含む
請求項１５に記載の送信装置。
【請求項１７】
前記チャンネル情報は、前記エリア放送のコンテンツを前記距離情報に応じて段階的に変化するように再生させる際の基準となる距離基準情報を含む
請求項１６に記載の送信装置。
【請求項１８】
送信装置の送信方法において、
前記送信装置が、
任意のセグメントによる放送であるエリア放送のコンテンツを、受信機が受信するためのチャンネル情報であって、拡張現実空間でターゲットの位置に配置される前記エリア放送のコンテンツの再生の制御に用いられる情報を含む前記チャンネル情報を取得し、
前記チャンネル情報を、前記受信機に送信する
ステップを含む送信方法。
【発明の詳細な説明】
【技術分野】
【０００１】
本技術は、受信装置、受信方法、送信装置、及び、送信方法に関し、特に、ユーザの手を煩わせることなく、コンテンツを提示することができるようにした受信装置、受信方法、送信装置、及び、送信方法に関する。
【背景技術】
【０００２】
近年、ユーザが身につけて持ち歩くことができるウェアラブルコンピュータ（Wearable Computer）の研究が行われている（例えば、特許文献１参照）。また、仮想的なコンテンツを、実空間の対象物に重畳してユーザに提示する拡張現実（AR：Augmented Reality）と称される技術が注目されている（例えば、特許文献２参照）。
【先行技術文献】
【特許文献】
【０００３】
【特許文献１】特開２０１１−２８７６３号公報
【特許文献２】特開２０１３−９２９６４号公報
【発明の概要】
【発明が解決しようとする課題】
【０００４】
ところで、ウェアラブルコンピュータにAR技術を適用して、ウェアラブルコンピュータを装着したユーザに対し、仮想的なコンテンツを再生して実空間の対象物に重畳して提示するという要求はあるが、ウェアラブルコンピュータは、従来からの情報端末と比べて操作系に制約が多いことから、コンテンツの再生時に、ユーザの操作が煩雑になることが想定される。
【０００５】
しかしながら、現状では、ウェアラブルコンピュータにおいて、コンテンツを再生してユーザに提示するための技術方式は確立されていない。
【０００６】
本技術はこのような状況に鑑みてなされたものであり、ウェアラブルコンピュータにおいて、ユーザの手を煩わせることなく、コンテンツを提示することができるようにするものである。
【課題を解決するための手段】
【０００７】
本技術の第１の側面の受信装置は、拡張現実空間内でターゲットの位置に配置されるコンテンツを受信する受信部と、実空間におけるユーザの現在位置から前記ターゲットの位置までの距離を示す距離情報を取得する距離情報取得部と、前記距離情報に応じて、前記コンテンツの再生を制御する再生制御部とを備える。
【０００８】
前記再生制御部は、前記コンテンツを、前記距離情報に応じて段階的に変化するように再生する。
【０００９】
前記ユーザの眼の前方に位置するように配置されて情報を表示するとともに、その表示領域を透明又は半透明な状態とすることができる表示部をさらに備え、前記表示部は、再生中の前記コンテンツの映像を表示する。
【００１０】
再生中の前記コンテンツの音声を出力する音声出力部をさらに備える。
【００１１】
任意のセグメントによる放送であるエリア放送を受信するためのチャンネル情報を取得するチャンネル情報取得部をさらに備え、前記受信部は、前記チャンネル情報を用いて、前記エリア放送を行う送信機から送信される放送波を受信することが可能な放送エリアにおいて、前記エリア放送のコンテンツを受信する。
【００１２】
前記距離情報取得部は、前記ユーザの現在位置と、前記チャンネル情報に含まれる前記送信機の送信点位置を用いて前記距離情報を算出する。
【００１３】
前記距離情報取得部は、前記ユーザの現在位置と、前記ターゲットの位置を用いて前記距離情報を算出する。
【００１４】
前記再生制御部は、前記チャンネル情報に含まれる距離基準情報を基準にして、前記コンテンツを、前記距離情報に応じて段階的に変化するように再生する。
【００１５】
前記再生制御部は、前記コンテンツの映像と音声のうち少なくとも一方の再生を段階的に変化させる。
【００１６】
前記再生制御部は、前記ユーザの現在位置と、前記ターゲットの位置との距離が近づくに連れて、前記コンテンツの音声の音量が大きくなるようにする。
【００１７】
前記ユーザの視線の方向を示す視線情報を取得する視線情報取得部をさらに備え、前記再生制御部は、前記視線情報に応じて、前記コンテンツを再生する。
【００１８】
前記再生制御部は、前記ユーザの視線が前記ターゲットの方向にある場合、前記コンテンツの映像又は音声を再生し、前記ユーザの視線が前記ターゲットの方向にない場合、前記コンテンツの映像を停止するか又は音声の音量を調整する。
【００１９】
前記受信装置は、左眼用と右眼用の一対の前記表示部を有する眼鏡型の無線通信機である。
【００２０】
受信装置は、独立した装置であってもよいし、１つの装置を構成している内部ブロックであってもよい。
【００２１】
本技術の第１の側面の受信方法は、上述した本技術の第１の側面の受信装置に対応する受信方法である。
【００２２】
本技術の第１の側面の受信装置及び受信方法においては、拡張現実空間内でターゲットの位置に配置されるコンテンツが受信され、実空間におけるユーザの現在位置から前記ターゲットの位置までの距離を示す距離情報が取得され、前記距離情報に応じて、前記コンテンツの再生が制御される。
【００２３】
本技術の第２の側面の送信装置は、任意のセグメントによる放送であるエリア放送のコンテンツを、受信機が受信するためのチャンネル情報であって、拡張現実空間でターゲットの位置に配置される前記エリア放送のコンテンツの再生の制御に用いられる情報を含む前記チャンネル情報を取得するチャンネル情報取得部と、前記チャンネル情報を、前記受信機に送信する送信部とを備える。
【００２４】
前記チャンネル情報は、実空間におけるユーザの現在位置から前記ターゲットの位置までの距離を示す距離情報の計算に用いられる送信機の送信点位置を含む。
【００２５】
前記チャンネル情報は、前記エリア放送のコンテンツを前記距離情報に応じて段階的に変化するように再生させる際の基準となる距離基準情報を含む。
【００２６】
送信装置は、独立した装置であってもよいし、１つの装置を構成している内部ブロックであってもよい。
【００２７】
本技術の第２の側面の送信方法は、上述した本技術の第２の側面の送信装置に対応する送信方法である。
【００２８】
本技術の第２の側面の送信装置及び送信方法においては、任意のセグメントによる放送であるエリア放送のコンテンツを、受信機が受信するためのチャンネル情報であって、拡張現実空間でターゲットの位置に配置される前記エリア放送のコンテンツの再生の制御に用いられる情報を含む前記チャンネル情報が取得され、前記チャンネル情報が、前記受信機に送信される。
【発明の効果】
【００２９】
本技術の第１の側面及び第２の側面によれば、ユーザの手を煩わせることなく、コンテンツを提示することができる。
【図面の簡単な説明】
【００３０】
【図１】本技術を適用したエリア放送システムの一実施の形態の構成を示すブロック図である。
【図２】本技術を適用したウェアラブル機器の外観を示す図である。
【図３】本技術を適用したウェアラブル機器の内部構成を示すブロック図である。
【図４】制御プログラムの構成例を示すブロック図である。
【図５】ウェアラブル機器の状態遷移を示す図である。
【図６】エリア放送の概要を説明する図である。
【図７】チャンネル情報の例を示す図である。
【図８】エリア放送情報記述子の構造を示す図である。
【図９】エリア放送情報記述子の項目を説明する図である。
【図１０】エリア放送送信装置の詳細構成例を示すブロック図である。
【図１１】情報サーバの詳細構成例を示すブロック図である。
【図１２】ユースケースの一例を示す図である。
【図１３】図１２のユースケースにおけるウェアラブル機器の状態遷移を示す図である。
【図１４】チューナ停止中の処理を説明するフローチャートである。
【図１５】チューナ受信中の処理を説明するフローチャートである。
【図１６】映像再生中の処理を説明するフローチャートである。
【図１７】映像音声再生中の処理を説明するフローチャートである。
【図１８】音声再生中の処理を説明するフローチャートである。
【図１９】コンテンツ送信処理を説明するフローチャートである。
【図２０】チャンネル情報提供処理を説明するフローチャートである。
【発明を実施するための形態】
【００３１】
以下、図面を参照しながら本技術の実施の形態について説明する。
【００３２】
＜エリア放送システムの構成＞
【００３３】
図１は、本技術を適用したエリア放送システムの一実施の形態の構成を示すブロック図である。
【００３４】
エリア放送システム１は、ウェアラブル機器１０を装着したユーザに対して、その現在位置とターゲットの位置との距離に応じたエリア放送のコンテンツを提示するものである。エリア放送システム１は、ウェアラブル機器１０、エリア放送送信装置２０、及び、情報サーバ３０から構成される。また、ウェアラブル機器１０と情報サーバ３０は、無線ネットワーク２やインターネット等を介して相互に接続されている。
【００３５】
ウェアラブル機器１０は、透過型のディスプレイ、ヘッドホン、カメラ部、及び、チューナ等を有する眼鏡型デバイスであって、ウェアラブルコンピュータの一例である。ウェアラブル機器１０では、通常の眼鏡においてフレームに取り付けられるレンズの位置に、左眼用と右眼用の一対の透過型のディスプレイが配置されている。これにより、例えば、ウェアラブル機器１０を装着したユーザが透過型のディスプレイを通して見る対象物に、その対象物に関連した付加情報をAR（拡張現実）技術により重ねて表示したり、見ている風景を撮影してその撮影画像を、他のユーザと共有したりすることができる。
【００３６】
また、ウェアラブル機器１０は、GPS（Global Positioning System）機能を有しており、GPS衛星３からの信号を受信することで、ウェアラブル機器１０を装着したユーザの現在位置を取得することができる。
【００３７】
エリア放送送信装置２０は、任意のセグメントによる放送（例えばワンセグメント放送やフルセグメント放送）であるエリア放送の放送波を送信する送信機である。ただし、エリア放送は、エリア放送送信装置２０を中心とする数10m乃至数km程度のエリアを、その放送波を受信することができる放送エリアとして放送を行うため、所定の放送エリアでのみ受信可能となる。
【００３８】
情報サーバ３０は、チャンネル情報を管理している。情報サーバ３０は、ウェアラブル機器１０からの要求に応じて、無線ネットワーク２等を介して、チャンネル情報を提供する。ここで、チャンネル情報とは、エリア放送の受信機がエリア放送を受信するための情報である。例えば、チャンネル情報には、後述する物理チャンネル番号、サービスID、信号形式、送信点位置、サービス距離などの情報が含まれる。
【００３９】
ウェアラブル機器１０は、無線ネットワーク２等を介して、情報サーバ３０からチャンネル情報を取得する。これにより、ウェアラブル機器１０は、ウェアラブル機器１０を装着したユーザが、エリア放送送信装置２０の放送エリア内にいる場合に、チャンネル情報を用いて自動的に選局を行い、エリア放送送信装置２０からのエリア放送の放送波を受信することになる。そして、ウェアラブル機器１０は、エリア放送のコンテンツの映像を、左眼用と右眼用の一対の透過型のディスプレイに表示するとともに、その映像に同期した音声をヘッドホンから出力することができる。
【００４０】
エリア放送システム１は、以上のように構成される。
【００４１】
＜各装置の構成例＞
【００４２】
次に、図２乃至図１１を参照して、図１のエリア放送システム１を構成する各装置の構成例について説明する。
【００４３】
（ウェアラブル機器の外観）
図２は、図１のウェアラブル機器１０の外観を示す図である。
【００４４】
図２に示すように、ウェアラブル機器１０は、ユーザの頭部に装着される眼鏡型のフレーム１００と、そのフレーム１００に取り付けられた左眼用と右眼用の一対の透過型のディスプレイ１０６Ｌ，１０６Ｒを有している。
【００４５】
左眼用と右眼用の一対の透過型のディスプレイ１０６Ｌ，１０６Ｒは、装着状態においてユーザの両眼の直前、すなわち、通常の眼鏡におけるレンズが位置する場所に配置される構成となっている。ディスプレイ１０６Ｌ，１０６Ｒには、例えば透過型の液晶パネルが用いられ、その透過率を制御することで、透明又は半透明の透過状態とすることができる。つまり、透過型のディスプレイ１０６Ｌ，１０６Ｒが、透過状態となることで、通常の眼鏡のように、ユーザが常時装着していても、通常の生活に支障がでることはない。
【００４６】
ディスプレイ１０６Ｌ，１０６Ｒには、各種の情報を表示させることができる。例えば、ウェアラブル機器１０では、ディスプレイ１０６Ｌ，１０６Ｒを通して見える人物や構造物などの対象物を、同時にカメラ部１１５で撮影して解析することで、その対象物に関連した付加情報を重ねて表示するマーカレスARを実現することができる。ここで、マーカレスARとは、特定のマーカなどを利用することなく、現実の環境に存在している物体や、その環境自体を空間的に認識することで、付加情報の提示位置を特定して提示する技術である。
【００４７】
また、ウェアラブル機器１０は、ウェアラブル機器１０を装着したユーザがエリア放送送信装置２０の放送エリア内にいる場合に、アンテナ１１２によってエリア放送送信装置２０からのエリア放送の放送波を受信し、そのコンテンツの映像を、透過型のディスプレイ１０６Ｌ，１０６Ｒに表示するとともに、映像に同期した音声をヘッドホン１０７から出力することができる。
【００４８】
なお、図２に示すように、ウェアラブル機器１０は、UI用センサ１１６によるユーザの操作検出機能や、視線検出用センサ１１７によるユーザの視線検出機能など機能を有するが、その詳細は、図３を参照して後述する。また、以下、左眼用の透過型のディスプレイ１０６Ｌと、右眼用の透過型のディスプレイ１０６Ｒを区別する必要がない場合、単にディスプレイ１０６と称して説明する。
【００４９】
（ウェアラブル機器の内部構成）
図３は、図１のウェアラブル機器１０の内部構成を示すブロック図である。
【００５０】
図３に示すように、ウェアラブル機器１０は、CPU１０１、ROM１０２、RAM１０３、ディスプレイ１０６、ヘッドホン１０７、アンテナ１０８、GPS部１０９、アンテナ１１０、通信部１１１、アンテナ１１２、チューナ１１３、ジャイロセンサ１１４、カメラ部１１５、UI用センサ１１６、視線検出用センサ１１７、映像音声処理部１１８、及び、電源部１１９から構成される。
【００５１】
ウェアラブル機器１０において、CPU（Central Processing Unit）１０１，ROM（Read Only Memory）１０２，RAM（Random Access Memory）１０３は、バス１０４により相互に接続されている。CPU１０１は、ROMに記録された制御プログラムを実行することで、ウェアラブル機器１０の各部の動作を制御する。また、RAM１０３には、各種のデータが適宜記録される。
【００５２】
バス１０４には、さらに、入出力インタフェース１０５が接続されている。入出力インタフェース１０５には、ディスプレイ１０６、ヘッドホン１０７、GPS部１０９、通信部１１１、チューナ１１３、ジャイロセンサ１１４、カメラ部１１５、UI用センサ１１６、視線検出用センサ１１７、及び、映像音声処理部１１８が接続されている。
【００５３】
ディスプレイ１０６は、上述した左眼用と右眼用の一対の透過型のディスプレイ１０６Ｌ，１０６Ｒである。ヘッドホン１０７は、ユーザの耳に近接した位置に配置される小型のヘッドホンである。
【００５４】
GPS部１０９は、CPU１０１からの制御に従い、アンテナ１０８を介して、GPS衛星３からの信号を受信することで、ユーザの現在位置を取得する。
【００５５】
通信部１１１は、CPU１０１からの制御に従い、アンテナ１１０を介して、無線ネットワーク２に接続し、情報サーバ３０等の各種のサーバ等と情報のやりとりを行う。なお、図示はしていないが、ウェアラブル機器１０は、近距離無線通信部を有しており、Bluetooth（登録商標）等の近距離無線通信規格に従い、スマートフォン等の他の電子機器との間で無線通信を行い、情報をやりとりすることができる。
【００５６】
チューナ１１３は、CPU１０１からの制御に従い、アンテナ１１２を介して受信された放送信号から、所定のチャンネルのエリア放送の信号を選局して復調し、その結果得られるTS（Transport Stream）を映像音声処理部１１８に供給する。
【００５７】
ジャイロセンサ１１４は、ウェアラブル機器１０の回転角度を検出し、その検出結果をCPU１０１に供給する。なお、図示はしていないが、重力加速度を検出する加速度センサや地磁気を検出する地磁気センサ等の各種のセンサを設け、それらの検出結果がCPU１０１に供給されるようにしてもよい。例えば、CPU１０１は、それらのセンサからの検出結果を用い、いわゆる自律航法によりGPS機能を用いずに、ユーザの現在位置を取得することができる。また、CPU１０１は、それらのセンサからの検出結果を用い、ウェアラブル機器１０の姿勢や動作を検出するようにしてもよい。
【００５８】
カメラ部１１５は、CMOS（Complementary Metal Oxide Semiconductor）イメージセンサ等の固体撮像素子を含んで構成される外向きカメラであり、ディスプレイ１０６を通して見える被写体を撮影するための機能を有する。カメラ部１１５は、被写体を撮影して所定の画像処理が施された画像データを、CPU１０１に供給する。
【００５９】
UI用センサ１１６は、例えば、ユーザによりフレーム１００に対して行われる入力操作を検出し、その検出結果をCPU１０１に供給する。CPU１０１は、UI用センサ１１６からの検出結果に応じて、ウェアラブル機器１０の各部の動作を制御する。なお、ユーザによる操作は、例えばジェスチャや音声入力などで行ってもよく、ウェアラブル機器１０は、それらの操作を検出するためのセンサなどを設けることができる。
【００６０】
視線検出用センサ１１７は、例えば、ユーザの眼を撮影可能な位置に設けられる内向きのカメラなどから構成される。視線検出用センサ１１７は、ウェアラブル機器１０を装着したユーザの視線の方向を検出し、その検出結果をCPU１０１に供給する。
【００６１】
映像音声処理部１１８は、CPU１０１からの制御に従い、チューナ１１３から供給されるTSを、ビデオデータ、オーディオデータ、各種のデータなどに分離する。映像音声処理部１１８は、CPU１０１からの制御に従い、ビデオデータとオーディオデータを復号し、ディスプレイ１０６とヘッドホン１０７にそれぞれ供給する。
【００６２】
ディスプレイ１０６は、映像音声処理部１１８から供給されるビデオデータに基づいて、エリア放送のコンテンツの映像を表示する。また、ヘッドホン１０７は、映像音声処理部１１８から供給されるオーディオデータに対応する音声、すなわち、エリア放送のコンテンツの音声を出力する。
【００６３】
電源部１１９は、蓄電池又は外部電源等から得られる電源電力を、CPU１０１を含むウェアラブル機器１０の各部に供給する。
【００６４】
（制御プログラム）
図４は、図３のCPU１０１により実行される制御プログラムのうち、ウェアラブル機器１０を装着したユーザに対して、その現在位置とターゲットの位置との距離に応じたエリア放送のコンテンツを提示する処理を行う部分を示すブロック図である。
【００６５】
図４に示すように、制御プログラム１５１は、チャンネル情報取得部１６１、位置情報取得部１６２、距離情報取得部１６３、視線情報取得部１６４、及び、再生制御部１６５を有する。
【００６６】
チャンネル情報取得部１６１は、通信部１１１を制御することで、無線ネットワーク２を介して情報サーバ３０からチャンネル情報を取得する。また、チャンネル情報取得部１６１は、チャンネル情報に含まれる送信点位置（以下、「送信点位置ＰＴ」とも記述する）を取得し、距離情報取得部１６３に供給する。さらに、チャンネル情報取得部１６１は、チャンネル情報に含まれるサービス距離（例えば、ＤＡ，ＤＢ，ＤＣ）を取得し、再生制御部１６５に供給する。
【００６７】
位置情報取得部１６２は、GPS部１０９を制御することで、GPS衛星３からの信号に応じたユーザの現在位置（以下、「現在位置ｐｕ」とも記述する）を取得し、距離情報取得部１６３に供給する。
【００６８】
距離情報取得部１６３は、チャンネル情報取得部１６１から供給される送信点位置ＰＴと、位置情報取得部１６２から供給される現在位置ｐｕを用い、所定の演算式（例えば、後述する式（１））を演算することで、実空間におけるユーザの現在位置からターゲットまでの距離Ｄを算出し、再生制御部１６５に供給する。
【００６９】
視線情報取得部１６４は、視線検出用センサ１１７を制御することで、ユーザの視線の方向を示す視線情報を取得し、再生制御部１６５に供給する。
【００７０】
再生制御部１６５は、映像音声処理部１１８を制御することで、エリア放送のコンテンツの再生を制御する。具体的には、再生制御部１６５は、距離情報取得部１６３から供給される距離Ｄと、チャンネル情報取得部１６１から供給されるサービス距離（例えば、ＤＡ，ＤＢ，ＤＣ）との大小関係に基づいて、エリア放送のコンテンツの映像若しくは音声の開始や停止、又は音声の音量の調整などを制御する。
【００７１】
また、再生制御部１６５は、視線情報取得部１６４から供給される視線情報に基づいて、エリア放送のコンテンツの再生を制御する。例えば、再生制御部１６５は、ユーザの視線がターゲットの方向にある場合、エリア放送のコンテンツの映像又は音声を再生し、ユーザの視線がターゲットの方向にない場合、エリア放送のコンテンツの映像を停止するか又は音声の音量を調整する。
【００７２】
（ウェアラブル機器の状態遷移）
図５は、図１のウェアラブル機器１０の状態遷移を示す図である。
【００７３】
図５に示すように、ウェアラブル機器１０は起動後、初期化されると、GPS部１０９によるGPS機能、通信部１１１による無線通信機能、及び、カメラ部１１５による撮影機能等がオンされ、センシングが開始される。このとき、ウェアラブル機器１０は、チューナ１１３による選局が停止した状態（以下、「チューナ停止中」という）となる。
【００７４】
ウェアラブル機器１０では、センシングが継続されることで、ターゲットが認識された場合、情報サーバ３０からチャンネル情報が取得され、エリア放送送信装置２０からのエリア放送の放送波の受信が開始される。このとき、ウェアラブル機器１０は、チューナ１１３による選局が行われている状態（以下、「チューナ受信中」という）となる。
【００７５】
その後、ウェアラブル機器１０では、センシングが継続されることで、ユーザの現在位置からターゲットの位置までの距離Ｄと、サービス距離（例えば、ＤＡ，ＤＢ，ＤＣ）との大小関係が比較され、その比較結果に従い、エリア放送のコンテンツの再生が制御される。このとき、ウェアラブル機器１０は、コンテンツの映像のみの再生が行われている状態（以下、「映像再生中」という）、コンテンツの映像と音声の両方の再生が行われている状態（以下、「映像音声再生中」という）、又はコンテンツの音声のみの再生が行われている状態（以下、「音声再生中」という）のいずれかの状態となる。
【００７６】
なお、ウェアラブル機器１０は、例えばユーザの設定や終了操作などにより、センシングが停止すると、上述した５つの状態のいずれにも属さなくなり、ユーザに対する、距離Ｄに応じたエリア放送のコンテンツの提示を終了することになる。
【００７７】
以上のように、ウェアラブル機器１０は、ウェアラブル機器１０を装着したユーザの現在位置とターゲットの位置との距離Ｄに応じて、「映像再生中」、「映像音声再生中」、又は「音声再生中」等の状態に遷移することで、エリア放送のコンテンツの再生状態を段階的に変化させることができる。これにより、ウェアラブル機器１０を装着したユーザは、特別な操作をすることなく、段階的に変化するコンテンツを視聴することができる。
【００７８】
（エリア放送の概要）
次に、図１のエリア放送送信装置２０と情報サーバ３０の詳細構成について説明するが、ここではまず、図６乃至図９を参照して、エリア放送の概要について説明する。
【００７９】
図６は、エリア放送の概要を説明する図である。なお、エリア放送は、特開２０１１−２１１６２７号公報などにも開示されているように、任意のセグメントによる放送の放送波を送信する送信装置を中心とする数10m乃至数km程度のエリアを、その放送波を受信することができる放送エリアとして放送を行うものであり、その運用が既に開始されている。
【００８０】
エリア放送送信装置２０−１乃至２０−３は、エリア放送の放送波を送信する送信機であり、地上デジタル放送の空きチャンネルの任意の１以上のセグメントのそれぞれで、エリア放送の放送波を送信する。エリア放送送信装置２０−１乃至２０−３は、例えば、市街地の構造物に実際に掲示される映画のポスタや、AR技術により構造物に重畳される映画のポスタなどが表示されるビルの壁などの各ターゲットの近傍に設置される。
【００８１】
エリア放送送信装置２０−１は、放送エリアＡでのみ受信可能なエリア放送を行う。エリア放送送信装置２０−２は、放送エリアＢでのみ受信可能なエリア放送を行い、エリア放送送信装置２０−３は、放送エリアＣでのみ受信可能なエリア放送を行う。ここで、エリア放送としては、例えば、映画の予告編や商品の宣伝などのターゲットの位置で再生されるコンテンツが放送される。また、エリア放送では、放送エリアが重複しないエリア放送局同士では、同一のセグメントで放送を行うことができる。
【００８２】
例えば、図６では、放送エリアＡと放送エリアＢとは、重複していないので、放送エリアＡのエリア放送送信装置２０−１と、放送エリアＢのエリア放送送信装置２０−２とでは、同一のセグメントで、エリア放送を行うことができる。また、図６では、放送エリアＢと放送エリアＣとは、重複していないので、放送エリアＢのエリア放送送信装置２０−２と、放送エリアＣのエリア放送送信装置２０−３とでは、同一のセグメントで、エリア放送を行うことができる。
【００８３】
ただし、図６では、放送エリアＡと放送エリアＣとは、一部が重複しているので、放送エリアＡのエリア放送送信装置２０−１と、放送エリアＣのエリア放送送信装置２０−３とでは、エリア放送に、同一のセグメントを用いることはできない。
【００８４】
ウェアラブル機器１０は、例えば、図６に示すように、ウェアラブル機器１０を装着したユーザが放送エリアＡにいる場合、情報サーバ３０からチャンネル情報を取得することで、放送エリアＡのエリア放送送信装置２０−１によるエリア放送を受信することができる。ここで、図７に示すように、チャンネル情報には、物理チャンネル番号、サービスID、信号形式、送信点位置、及び、サービス距離等のエリア放送送信装置２０−１によるエリア放送に関する情報が含まれる。
【００８５】
物理チャンネル番号Ｃｈは、エリア放送送信装置２０−１によるエリア放送の物理チャンネルの番号を示す情報である。また、サービスID Ｓidは、エリア放送送信装置２０−１によるエリア放送のサービスの識別情報である。信号形式Ｆｍは、エリア放送送信装置２０−１によるエリア放送の信号の形式を示す情報である。
【００８６】
送信点位置ＰＴは、エリア放送送信装置２０−１のアンテナの設置位置を示す情報である。例えば、送信点位置ＰＴとしては、当該アンテナの設置位置を示す緯度と経度を示す位置情報が指定される。ただし、送信点位置ＰＴには、アンテナの設置位置の代わりに、例えばビルの壁などに掲示（表示）される映画のポスタの位置などのターゲットの位置を指定するようにしてもよい。このように、ターゲットの位置を直接指定する場合には、エリア放送送信装置２０−１をターゲットの近傍に設置する必要はない。
【００８７】
サービス距離は、ユーザの現在位置からターゲットまでの距離Ｄに応じてウェアラブル機器１０の状態を遷移させる際の基準となる距離を示す情報である。例えば、サービス距離は、距離ＤＡ，ＤＢ，ＤＣ（ＤＡ ＞ＤＢ ＞ ＤＣ）の３段階で指定される。ただし、この例の場合、距離ＤＡは、エリア放送送信装置２０−１の放送エリアＡ内になることが想定される。なお、以下の説明では、距離ＤＡ，ＤＢ，ＤＣの３段階の基準が指定された場合を例示するが段数は任意であり、この段数が多いほど、ウェアラブル機器１０の状態をより細かい単位で遷移させることができる。
【００８８】
チャンネル情報は、例えばエリア放送の事業者により提供される。また、チャンネル情報に含まれる情報は任意であって、図７に示した情報以外の他の情報が含まれるようにしてもよいし、図７に示した情報が必ずしも含まれる必要はない。例えば、サービス距離は、各種の情報を用い、ウェアラブル機器１０側で算出されるようにしてもよい。
【００８９】
なお、チャンネル情報は、ウェアラブル機器１０が情報サーバ３０から直接ダウンロードするほか、情報サーバ３０から、スマートフォン等のユーザが所持している電子機器にダウンロードし、そのスマートフォン等とウェアラブル機器１０との間で、チャンネル情報をやりとりする無線通信などを行うことにより、ウェアラブル機器１０において取得されるようにしてもよい。
【００９０】
因みに、エリア放送送信装置２０から、セグメントで送信されるエリア放送情報記述子には、図８に示す項目が定義されている。すなわち、図８に示すように、station_id、area_codeは、それぞれ、ステーションID、地域コードである。また、format、emission_powerは、図９に示すように、それぞれ、信号形式、送信出力である。また、station_latitude、station_longitude、station_heightは、図９に示すように、それぞれ、送信局緯度、送信局経度、送信局高度である。さらに、directivity_pattern_bitmapは、図９に示すように、指向性パターンビットマップである。open_air_flag、closed_space_flag、station_mobility_flagは、それぞれ、オープンエアフラグ、閉空間フラグ、移動局フラグである。extended_info()は、拡張情報である。extended_info()は、extended_info_flagが1である場合に、エリア放送情報記述子に含まれる。
【００９１】
（エリア放送送信装置の詳細構成例）
図１０は、図１のエリア放送送信装置２０の詳細構成例を示すブロック図である。図１０において、エリア放送送信装置２０は、コンテンツ取得部２０１、コンテンツ処理部２０２、及び、送信部２０３により構成される。
【００９２】
コンテンツ取得部２０１は、内蔵するHDD（Hard Disk Drive）や、外部のサーバ、カメラ等から、エリア放送用のコンテンツのビデオデータを取得し、コンテンツ処理部２０２に供給する。また、コンテンツ取得部２０１は、内蔵するHDDや、外部のサーバ、マイクロフォン等から、エリア放送用のコンテンツのオーディオデータを取得し、コンテンツ処理部２０２に供給する。
【００９３】
コンテンツ処理部２０２は、コンテンツ取得部２０１から供給されるビデオデータを、MPEG（Moving Picture Experts Group）等の符号化方式に準拠して符号化する。また、コンテンツ処理部２０２は、コンテンツ取得部２０１から供給されるオーディオデータを、MPEG等の符号化方式に準拠して符号化する。
【００９４】
コンテンツ処理部２０２は、符号化により得られるビデオデータとオーディオデータ、さらに、PSI/SI等の各種のデータを多重化してTS（Transport Stream）を生成し、送信部２０３に供給する。送信部２０３は、コンテンツ処理部２０２から供給されるTSを、所定のセグメントでアンテナ２０４を介して、放送信号として送信する。
【００９５】
以上のように、エリア放送送信装置２０は、例えば、ターゲットの近傍に設置され、映画の予告編や商品の宣伝など、ウェアラブル機器１０を装着したユーザがディスプレイ１０６を通して見るターゲットの位置に配置されるコンテンツを送信する。
【００９６】
（情報サーバの詳細構成例）
図１１は、図１の情報サーバ３０の詳細構成例を示すブロック図である。図１１において、情報サーバ３０は、制御部３０１、チャンネル情報取得部３０２、チャンネル情報保持部３０３、及び、通信部３０４により構成される。
【００９７】
制御部３０１は、情報サーバ３０の各部の動作を制御する。チャンネル情報取得部３０２は、制御部３０１からの制御に従い、チャンネル情報を取得し、チャンネル情報保持部３０３に記録する。
【００９８】
制御部３０１は、ウェアラブル機器１０からチャンネル情報が要求された場合、チャンネル情報保持部３０３からチャンネル情報を読み出して取得する。通信部３０４は、制御部３０１からの制御に従い、チャンネル情報を、無線ネットワーク２を介して、要求元のウェアラブル機器１０に送信する。
【００９９】
以上のように、情報サーバ３０は、ウェアラブル機器１０からの要求に応じて、無線ネットワーク２を介して、図７のチャンネル情報を提供する。
【０１００】
＜ユースケース＞
【０１０１】
次に、図１２及び図１３を参照して、本技術を用いた具体的なユースケースについて説明する。
【０１０２】
図１２に示すように、市街地を歩いているユーザは、ウェアラブル機器１０を装着しており、ディスプレイ１０６には、ディスプレイ１０６を通して見えるビルや店舗等の構造物に、映画のポスタ４０１や、広告４０２、４０３がAR技術により重畳されている。ここで、映画のポスタ４０１（が重畳表示されているビルの壁）がターゲットとして選択された場合、そのビルに向かって歩いているユーザの現在位置からターゲットの位置までの距離Ｄに応じて、ウェアラブル機器１０の状態が遷移する。その結果、ウェアラブル機器１０では、受信中のエリア放送のコンテンツ（図１２の例では、ポスタ４０１の映画の予告編（トレーラ））の再生状態が段階的に変化することになる。
【０１０３】
すなわち、図１３に示すように、ウェアラブル機器１０は、距離Ｄ＞ＤＡとなる場合には、「チューナ停止中」の状態となっている。その後、ユーザの現在位置が移動することで距離Ｄが変化し、ＤＢ＜Ｄ≦ＤＡとなった場合、ウェアラブル機器１０の状態は、「チューナ受信中」に遷移する。そして、ユーザの現在位置がさらに移動することで距離Ｄが変化し、ＤＣ＜Ｄ≦ＤＢとなった場合、ウェアラブル機器１０の状態は、「映像再生中」に遷移する。これにより、ウェアラブル機器１０においては、ポスタ４０１の映画の予告編の映像の再生が開始され、その映像がディスプレイ１０６に表示されることになる。
【０１０４】
また、ユーザの現在位置が移動することで距離Ｄが変化し、Ｄ≦ＤＣとなった場合、ウェアラブル機器１０の状態は、「映像音声再生中」に遷移する。これにより、ウェアラブル機器１０においては、ディスプレイ１０６に、ポスタ４０１の映画の予告編の映像が表示されるだけでなく、さらにその映像に同期した音声がヘッドホン１０７から出力されることになる。また、このとき、ヘッドホン１０７から出力される音声の音量は段階的に調整される。
【０１０５】
ただし、ウェアラブル機器１０は、視線情報に応じて、その状態が遷移する。具体的には、ウェアラブル機器１０の状態が「映像再生中」である場合において、ユーザの視線の方向が上向き、すなわち、ターゲットの方向を向いている場合には、「映像再生中」の状態が維持される。一方、ユーザの視線の方向が下向き、すなわち、ターゲットの方向を向いていない場合には、「映像再生中」から「チューナ受信中」に状態が遷移し、ポスタ４０１の映画の予告編の映像の再生が停止されることになる。なお、ユーザの視線が下向きから上向きに変化した場合には、「チューナ受信中」から「映像再生中」に状態が遷移し、ポスタ４０１の映画の予告編の映像の再生が再開されることになる。
【０１０６】
また、ウェアラブル機器１０の状態が「映像音声再生中」である場合において、ユーザの視線が上向き、すなわち、ターゲットの方向を向いている場合には、「映像音声再生中」の状態が維持される。一方、ユーザの視線が下向き、すなわち、ターゲットの方向を向いていない場合には、「映像音声再生中」から「音声再生中」に状態が遷移し、ポスタ４０１の映画の予告編の映像の再生が停止され、音声のみがヘッドホン１０７から出力されることになる。また、このとき、音声の音量の調整が行われ、音量が下げられる。なお、ユーザの視線が下向きから上向きに変化した場合には、「音声再生中」から「映像音声再生中」に状態が遷移し、ポスタ４０１の映画の予告編の映像の再生が再開され、さらに下げられていた音声の音量が元の状態に戻されることになる。
【０１０７】
以上のように、この例では、ウェアラブル機器１０を装着したユーザが、ディスプレイ１０６を通して見えるビルの壁に、AR技術により重畳された映画のポスタ４０１を見ながら近づくと、その映画の予告編の映像の再生が開始される。そしてさらにユーザがポスタ４０１を見ながらビルの壁に近づくと、その映画の予告編の映像に同期した音声も聞こえてくることになる。
【０１０８】
このようにして、映画の予告編の映像等が提示されることになるが、ウェアラブル機器１０を装着したユーザは、エリア放送のチャンネル入力操作やスキャン操作をする必要がなく、また、チャンネル選局に関する事前情報なども不要であるため、煩雑な選局操作から解放されることになる。また、ウェアラブル機器１０を装着したユーザは、興味の赴くままに歩くという動作を行っているだけで、ターゲットに近づくと、エリア放送のコンテンツの映像や音声の再生が自動的に開始されるため、特別な操作や指示が不要となる。そのため、ユーザの手を煩わせることなく、エリア放送のコンテンツを提示することができる。また、ユーザにとっては日常的な動作を行っていればよく、自然なUI（User Interface）を実現することができる。
【０１０９】
また、ウェアラブル機器１０を装着したユーザに対して、サービスのエリアを事前に告知することなく、そのユーザの現在位置に応じたエリア放送のコンテンツを提示することが可能となる。つまり、サービスのエリアを事前に告知することは手間であるが、本技術を用いることで、そのような手間を省くことが可能となる。さらに、ウェアラブル機器１０が確実に受信できる放送エリアでのみエリア放送のコンテンツが提供されるので、サービスの提供者側にとっては、エリア放送のコンテンツが確実に受信されることが保証されることになる。また、インターネットに代表される通信網を利用した場合、多くの人が集まる市街地などでアクセスが集中してしまうと、動画のコンテンツの提供が困難になるが、エリア放送であると、放送波を利用しているため、例えば市街地やスタジアムなどの多くの人が集まる場所でも確実にサービスを提供することが可能となる。
【０１１０】
なお、このユースケースでは、ディスプレイ１０６上で、AR技術による映画のポスタ４０１（が重畳表示されているビルの壁）に対して、エリア放送のコンテンツとしての映画の予告編の映像と音声が再生される例を説明したが、例えば、ディスプレイ１０６を通して見える実物の映画のポスタ（が掲示されているビルの壁）に対して、エリア放送のコンテンツとしての映画の予告編の映像と音声が再生されるようにしてもよい。
【０１１１】
＜各装置で行われる具体的な処理の内容＞
【０１１２】
次に、図１４乃至図２０のフローチャートを参照して、図１のエリア放送システム１を構成する各装置で行われる具体的な処理の内容について説明する。
【０１１３】
（コンテンツ提示処理）
まず、図１４乃至図１８のフローチャートを参照して、図１のウェアラブル機器１０が実行するコンテンツ提示処理について説明する。このコンテンツ提示処理は、例えば、ウェアラブル機器１０の電源がオンされて、ウェアラブル機器１０が起動したと同時に開始される。ただし、ウェアラブル機器１０においては、起動時に、GPS部１０９によるGPS機能、通信部１１１による無線通信機能、及び、カメラ部１１５による撮影機能がオンされる。
【０１１４】
ステップＳ１０１においては、カメラ部１１５により撮影された撮影画像を用い、ターゲット認識処理が行われる。このターゲット認識処理では、例えば、市街地の構造物に実際に掲示された映画のポスタ（が掲示されているビルの壁）や、AR技術により構造物に重畳された映画のポスタ（が重畳表示されているビルの壁）などがターゲットとして認識される。
【０１１５】
ステップＳ１０２においては、ターゲット認識処理によってターゲットが認識されたか否かが判定される。ステップＳ１０２において、ターゲットが認識されていないと判定された場合、ステップＳ１０１のターゲット認識処理が繰り返される。また、ステップＳ１０２において、ターゲットが認識されたと判定された場合、処理はステップＳ１０３に進められる。
【０１１６】
ステップＳ１０３において、チャンネル情報取得部１６１は、通信部１１１を制御することで、無線通信ネットワーク２等を介して情報サーバ３０からチャンネル情報を取得する。ここでは、例えば、マーカレスAR技術によって認識された映画のポスタを掲示しているビルの近傍に設置されているエリア放送送信装置２０によるエリア放送用のチャンネル情報を提供する情報サーバ３０のURL（Uniform Resource Locator）が取得され、そのURLに従い、情報サーバ３０にアクセスすることで、チャンネル情報が取得される。
【０１１７】
ステップＳ１０４において、チャンネル情報取得部１６１は、チャンネル情報に含まれる送信点位置ＰＴを取得する。また、ステップＳ１０５において、位置情報取得部１６２は、GPS部１０９を制御することで、GPS衛星３からの信号に応じたユーザの現在位置ｐｕを取得する。
【０１１８】
ステップＳ１０６において、距離情報取得部１６３は、送信点位置ＰＴと、現在位置ｐｕを用い、例えば、下記の式（１）を演算することで、実空間におけるユーザの現在位置からターゲットまでの距離Ｄを算出する。
【０１１９】
Ｄ＝｜ｐｕ−ＰＴ｜・・・（１）
【０１２０】
ステップＳ１０７においては、ステップＳ１０６で求められた距離Ｄと、チャンネル情報に含まれるサービス距離ＤＡとの大小関係が判定される。
【０１２１】
ステップＳ１０７において、ＤＡ＜Ｄであると判定された場合、処理はステップＳ１０５に戻り、上述した処理が繰り返される。すなわち、ユーザの現在位置ｐｕがサービス距離ＤＡの範囲外となる場合、ユーザの現在位置ｐｕに応じて距離Ｄの値が更新され、Ｄ≦ＤＡとなるまで、ステップＳ１０７の判定処理が繰り返される。
【０１２２】
ステップＳ１０７において、Ｄ≦ＤＡであると判定された場合、処理は、図１５のステップＳ１１１に進められる。
【０１２３】
このように、図１４のステップＳ１０１乃至Ｓ１０７の処理は、チューナ１１３による選局が停止した状態で実行される「チューナ停止中」の処理であって、Ｄ＞ＤＡの関係を満たしており、ユーザの現在位置ｐｕが、サービス距離ＤＡの範囲外となっている。
【０１２４】
図１５のステップＳ１１１において、チューナ１１３は、チャンネル情報を用いた選局を開始し、エリア放送送信装置２０からのエリア放送のコンテンツの受信を開始する。
【０１２５】
ステップＳ１１２，Ｓ１１３においては、図１４のステップＳ１０５，１０６と同様に、ユーザの現在位置ｐｕが取得され、例えば、上述した式（１）を用いて距離Ｄが求められる。そして、ステップＳ１１４においては、ステップＳ１１３で求められた距離Ｄと、チャンネル情報に含まれるサービス距離ＤＡ，ＤＢとの大小関係が判定される。
【０１２６】
ステップＳ１１４において、ＤＢ＜Ｄ≦ＤＡであると判定された場合、処理はステップＳ１１２に戻り、上述した処理が繰り返される。すなわち、ユーザの現在位置ｐｕがサービス距離ＤＡの範囲内で、かつ、サービス距離ＤＢの範囲外となる場合、ユーザの現在位置ｐｕに応じて距離Ｄの値が更新され、Ｄ＞ＤＡ又はＤ≦ＤＢとなるまで、ステップＳ１１４の判定処理が繰り返される。
【０１２７】
また、ステップＳ１１４において、Ｄ＞ＤＡであると判定された場合、処理はステップＳ１１５に進められる。ステップＳ１１５において、チューナ１１３は、チャンネル情報を用いた選局を停止し、エリア放送のコンテンツの受信を停止する。ステップＳ１１５の処理が終了すると、処理は、図１４のステップＳ１０５に戻り、それ以降の処理が行われる。すなわち、この場合、ユーザの現在位置ｐｕがサービス距離ＤＡの範囲外となったので、図１４のチューナ停止中の処理に戻されることになる。
【０１２８】
また、ステップＳ１１４において、Ｄ≦ＤＢであると判定された場合、処理は、図１６のステップＳ１２１に進められる。
【０１２９】
このように、図１５のステップＳ１１１乃至Ｓ１１５の処理は、チューナの選局が行われている状態で実行される「チューナ受信中」の処理であって、ＤＢ＜Ｄ≦ＤＡの関係を満たしており、ユーザの現在位置ｐｕが、サービス距離ＤＡの範囲内で、かつ、サービス距離ＤＢの範囲外となっている。
【０１３０】
図１６のステップＳ１２１においては、視線情報取得部１６４により取得された視線情報に応じて、ユーザの視線がターゲットの方向にあるか、すなわち、ターゲットが視野内にあるかどうかが判定される。ステップＳ１２１においては、ターゲットが視野内にあると判定されるのを待って、処理はステップＳ１２２に進められる。ステップＳ１２２において、再生制御部１６５は、エリア放送のコンテンツの映像の再生を開始する。これにより、ウェアラブル機器１０においては、ディスプレイ１０６に、エリア放送のコンテンツの映像が表示されることになる。
【０１３１】
ステップＳ１２３，Ｓ１２４においては、図１４のステップＳ１０５，１０６と同様に、ユーザの現在位置ｐｕが取得され、例えば、上述した式（１）を用いて距離Ｄが求められる。そして、ステップＳ１２５においては、ステップＳ１２４で求められた距離Ｄと、チャンネル情報に含まれるサービス距離ＤＢ，ＤＣとの大小関係が判定される。
【０１３２】
ステップＳ１２５において、ＤＣ＜Ｄ≦ＤＢであると判定された場合、処理はステップＳ１２１に戻り、上述した処理が繰り返される。すなわち、ユーザの現在位置ｐｕがサービス距離ＤＢの範囲内で、かつ、サービス距離ＤＣの範囲外となる場合、ユーザの現在位置ｐｕに応じて距離Ｄの値が更新され、Ｄ＞ＤＢ又はＤ≦ＤＣとなるまで、ステップＳ１２５の判定処理が繰り返される。
【０１３３】
また、ステップＳ１２５において、Ｄ＞ＤＢであると判定された場合、処理はステップＳ１２６に進められる。ステップＳ１２６において、再生制御部１６５は、再生中のコンテンツの映像の再生を停止する。ステップＳ１２６の処理が終了すると、処理は、図１５のステップＳ１１２に戻り、それ以降の処理が行われる。すなわち、この場合、ユーザの現在位置ｐｕがサービス距離ＤＢの範囲外となったので、図１５のチューナ受信中の処理に戻されることになる。
【０１３４】
また、ステップＳ１２５において、Ｄ≦ＤＣであると判定された場合、処理は、図１７のステップＳ１３１に進められる。
【０１３５】
このように、図１６のステップＳ１２１乃至Ｓ１２６の処理は、コンテンツの映像の再生が行われている状態で実行される「映像再生中」の処理であって、ＤＣ＜Ｄ≦ＤＢの関係を満たしており、ユーザの現在位置ｐｕが、サービス距離ＤＢの範囲内で、かつ、サービス距離ＤＣの範囲外となっている。
【０１３６】
図１７のステップＳ１３１において、再生制御部１６５は、エリア放送のコンテンツの音声の再生を開始する。これにより、ウェアラブル機器１０においては、ディスプレイ１０６に、エリア放送のコンテンツの映像が表示され、さらに、その映像に同期した音声がヘッドホン１０７から出力されることになる。
【０１３７】
ステップＳ１３２、Ｓ１３３においては、図１４のステップＳ１０５，１０６と同様に、ユーザの現在位置ｐｕが取得され、例えば、上述した式（１）を用いて距離Ｄが求められる。そして、ステップＳ１３４においては、ステップＳ１３３で求められた距離Ｄと、チャンネル情報に含まれるサービス距離ＤＣとの大小関係が判定される。
【０１３８】
ステップＳ１３４において、Ｄ≦ＤＣであると判定された場合、処理はステップＳ１３５に進められる。ステップＳ１３５において、再生制御部１６５は、再生中のエリア放送のコンテンツの音声の音量を調整する。この音量の調整は、例えば、再生中のコンテンツの音声の音量を１段階上げる調整、あるいは１段階下げる調整が行われる。あるいは音量を変化させない場合があってもよい。
【０１３９】
ステップＳ１３６においては、図１６のステップＳ１２１と同様に、ターゲットが視野内にあるかどうかが判定される。ステップＳ１３６において、ターゲットが視野内にあると判定された場合、処理はステップＳ１３２に戻り、それ以降の処理が繰り返される。すなわち、ユーザの現在位置ｐｕがサービス距離ＤＣの範囲内であって、ターゲットが視野内にある場合には、ステップＳ１３５の音声調整処理が行われ、例えば、再生中のコンテンツの音声の音量が１段階上げられる。これにより、ユーザの現在位置ｐｕと、ターゲットの位置との距離が近づくに連れて、エリア放送のコンテンツの音声の音量が大きくなることになる。
【０１４０】
また、ステップＳ１３４において、Ｄ＞ＤＣであると判定された場合、処理はステップＳ１３７に進められる。ステップＳ１３７において、再生制御部１６５は、再生中のエリア放送のコンテンツの音声を停止する。これにより、ウェアラブル機器１０においては、ディスプレイ１０６に、エリア放送のコンテンツの映像は表示されるが、その映像に同期した音声は出力されないことになる。
【０１４１】
ステップＳ１３７の処理が終了すると、処理は、図１６のステップＳ１２３に進められ、それ以降の処理が行われる。また、ステップＳ１３６において、ターゲットが視野内にないと判定された場合、処理は、図１８のステップＳ１４１に進められる。
【０１４２】
このように、図１７のステップＳ１３１乃至Ｓ１３６の処理は、コンテンツの映像と音声の再生が行われている状態で実行される「映像音声再生中」の処理であって、Ｄ≦ＤＣの関係を満たしており、ユーザの現在位置ｐｕが、サービス距離ＤＣの範囲内となっている。
【０１４３】
図１８のステップＳ１４１において、再生制御部１６５は、再生中のエリア放送のコンテンツの映像を停止する。これにより、ウェアラブル機器１０においては、ディスプレイ１０６には、エリア放送のコンテンツの映像は表示されていないが、その音声のみがヘッドホン１０７から出力されることになる。
【０１４４】
ステップＳ１４２，Ｓ１４３においては、図１４のステップＳ１０５，１０６と同様に、ユーザの現在位置ｐｕが取得され、例えば、上述した式（１）を用いて距離Ｄが求められる。そして、ステップＳ１４４においては、ステップＳ１４３で求められた距離Ｄと、チャンネル情報に含まれるサービス距離ＤＣとの大小関係が判定される。
【０１４５】
ステップＳ１４４において、Ｄ≦ＤＣであると判定された場合、処理はステップＳ１４５に進められる。ステップＳ１４５において、再生制御部１６５は、再生中のエリア放送のコンテンツの音声の音量を調整する。この音量の調整は、例えば、再生中のコンテンツの音声の音量を１段階下げる調整、あるいは１段階上げる調整が行われる。あるいは音量を変化させない場合があってもよい。
【０１４６】
ステップＳ１４６においては、図１６のステップＳ１２１と同様に、ターゲットが視野内にあるかどうかが判定される。ステップＳ１４６において、ターゲットが視野内にないと判定された場合、処理はステップＳ１４２に戻り、それ以降の処理が繰り返される。すなわち、ユーザの現在位置ｐｕがサービス距離ＤＣの範囲内であって、ターゲットが視野内にない場合には、ステップＳ１４５の音声調整処理が行われ、例えば、再生中のコンテンツの音声の音量が１段階下げられる。これにより、ユーザの視線がターゲットを向いていない場合には、エリア放送のコンテンツの音声の音量が徐々に小さくなることになる。
【０１４７】
また、ステップＳ１４６において、ターゲットが視野内にあると判定された場合、処理はステップＳ１４７に進められる。ステップＳ１４７において、再生制御部１６５は、エリア放送のコンテンツの映像の再生を開始する。これにより、ウェアラブル機器１０においては、ディスプレイ１０６に、エリア放送のコンテンツの映像が表示され、その映像に同期した音声がヘッドホン１０７から出力されることになる。なお、このとき、ヘッドホン１０７から出力されるコンテンツの音声の音量は、元の状態に戻されることになる。
【０１４８】
ステップＳ１４７の処理が終了すると、処理は、図１７のステップＳ１３２に進められ、それ以降の処理が行われる。
【０１４９】
また、ステップＳ１４４において、Ｄ＞ＤＣであると判定された場合、処理はステップＳ１４８に進められる。ステップＳ１４８において、再生制御部１６５は、再生中のエリア放送のコンテンツの音声を停止する。これにより、ウェアラブル機器１０においては、エリア放送のコンテンツの映像と音声が共に再生されていない状態になる。
【０１５０】
ステップＳ１４８の処理が終了すると、処理は、図１６のステップＳ１２１に戻り、それ以降の処理が行われる。
【０１５１】
このように、図１８のステップＳ１４１乃至Ｓ１４７の処理は、コンテンツの音声の再生が行われている状態で実行される「音声再生中」の処理であって、Ｄ≦ＤＣの関係を満たしており、ユーザの現在位置ｐｕが、サービス距離ＤＣの範囲内となっている。
【０１５２】
以上で、コンテンツ提示処理の説明を終了する。
【０１５３】
（コンテンツ送信処理）
次に、図１９のフローチャートを参照して、図１のエリア放送送信装置２０が実行するコンテンツ送信処理について説明する。
【０１５４】
ステップＳ２０１において、コンテンツ取得部２０１は、エリア放送用のコンテンツのビデオデータとオーディオデータを取得し、コンテンツ処理部２０２に供給する。
【０１５５】
ステップＳ２０２において、コンテンツ処理部２０２は、コンテンツ取得部２０１から供給されるビデオデータとオーディオデータを、MPEG等の符号化方式に準拠して符号化する。また、コンテンツ処理部２０２は、符号化により得られるビデオデータとオーディオデータ、さらに、PSI/SI等の各種のデータを多重化してTSを生成し、送信部２０３に供給する。
【０１５６】
ステップＳ２０３において、送信部２０３は、コンテンツ処理部２０２から供給されるTSを、所定のセグメントでアンテナ２０４を介して、放送信号として送信する。ステップＳ２０３の処理が終了すると、コンテンツ送信処理は終了する。
【０１５７】
以上で、コンテンツ送信処理の説明を終了する。
【０１５８】
（チャンネル情報提供処理）
最後に、図２０のフローチャートを参照して、図１の情報サーバ３０が実行するチャンネル情報提供処理について説明する。
【０１５９】
ステップＳ３０１において、制御部３０１は、通信部３０４を監視することで、ウェアラブル機器１０からチャンネル情報の要求がされたか否かを判定する。ステップＳ３０１においては、ウェアラブル機器１０からのチャンネル情報の要求を待って、処理は、ステップＳ３０２に進められる。
【０１６０】
ステップＳ３０２において、制御部３０１は、ウェアラブル機器１０からの要求に応じたチャンネル情報を、チャンネル情報保持部３０３から取得する。ステップＳ３０３において、通信部３０４は、制御部３０１からの制御に従い、チャンネル情報保持部３０３から取得されたチャンネル情報を、要求元のウェアラブル機器１０に送信（提供）する。ステップＳ３０３の処理が終了すると、チャンネル情報提供処理は終了する。
【０１６１】
以上で、チャンネル情報提供処理の説明を終了する。
【０１６２】
以上のように、本技術によれば、ウェアラブル機器１０を装着したユーザは、単に歩くという動作を行っているだけで、エリア放送のコンテンツの映像や音声の再生が自動的に開始されるため、特別な操作や指示をする必要なない。そのため、ユーザの手を煩わせることなく、エリア放送のコンテンツを提示することができる。
【０１６３】
なお、上述の図２に示した、眼鏡型のウェアラブル機器１０の構造は一例であり、ウェアラブル機器１０をユーザが装着するための構造は多様に考えられる。一般に、眼鏡型又は頭部装着型とされる装着ユニットで形成されればよく、少なくともユーザの眼の前方に近接してディスプレイ１０６Ｌ，１０６Ｒが設けられていればよい。また、ディスプレイは両眼に対して一対設けられるほか、片側の眼に対応して１つだけ設けられる構成でもよい。また、ウェアラブル機器１０は、スマートフォン等のユーザが所持している電子機器と無線通信を行うことが可能であるため、例えば、エリア放送のコンテンツの受信処理等はスマートフォン側で行い、ウェアラブル機器１０側では、スマートフォンから送られてくるコンテンツを再生するようにしてもよい。
【０１６４】
また、上述した説明では、説明の簡略化のため、エリア放送送信装置２０をターゲットの近傍に設置することで、ターゲットの位置と、送信点位置ＰＴにより指定される位置は一致しているものとして説明したが、実空間における現実のターゲットの位置情報を取得して、現実のターゲットの位置とユーザの現在位置を用い、距離Ｄを算出してもよい。また、例えばバスや電車の外装に施された広告など、ターゲットが移動する場合、距離Ｄとしては、ユーザの現在位置とターゲットの位置との相対的な距離が求められることになる。要は、ウェアラブル機器１０を装着したユーザに対し、その現在位置とターゲットの位置との距離に応じたエリア放送のコンテンツを提示するための距離情報が取得できればよいのであって、その算出方法は任意である。
【０１６５】
また、上述した説明では、エリア放送のコンテンツの映像が再生されたあとに、音声が再生される例を説明したが、映像と音声の再生順は逆でもよいし、あるいは、映像のみ又は音声のみが再生されるようにしてもよい。また、コンテンツとしては、上述した映像や音声に限らず、例えばテキスト情報や静止画などの情報であってもよく、例えば、ウェアラブル機器１０を装着したユーザの現在位置とターゲットの位置との距離に応じて、テキスト情報、静止画、動画が段階的に再生されるようにすることができる。
【０１６６】
さらに、上述した説明では、ウェアラブル機器１０は、エリア放送送信装置２０から送信されるエリア放送のコンテンツを受信するとして説明したが、インターネット上に設けられた配信サーバ（不図示）から配信される通信コンテンツを受信して、ユーザの現在位置とターゲットの位置との距離に応じてストリーミング再生を行うようにしてもよい。例えば、通信コンテンツは、VOD（Video On Demand）により配信される、映画の予告編や商品の宣伝などのコンテンツとなる。
【０１６７】
なお、ウェアラブル機器１０（CPU１０１）が実行する制御プログラムは、例えば、ローカルエリアネットワーク、インターネット、デジタル衛星放送といった、有線又は無線の伝送媒体を介して提供することができる。また、ウェアラブル機器１０では、制御プログラムは、有線又は無線の伝送媒体を介して、通信部１１１で受信し、ROM１０２等にインストールすることができる。その他、制御プログラムは、ROM１０２等に、あらかじめインストールしておくことができる。
【０１６８】
また、ウェアラブル機器１０（CPU１０１）が実行する制御プログラムは、本明細書で説明する順序に沿って時系列に処理が行われるプログラムであっても良いし、並列に、あるいは呼び出しが行われたとき等の必要なタイミングで処理が行われるプログラムであっても良い。ここで、本明細書において、ウェアラブル機器１０（CPU１０１）に各種の処理を行わせるための制御プログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０１６９】
また、制御プログラムは、１のコンピュータにより処理されるものであってもよいし、複数のコンピュータによって分散処理されるものであってもよい。さらに、制御プログラムは、遠方のコンピュータに転送されて実行されるものであってもよい。さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１７０】
なお、本技術の実施の形態は、上述した実施の形態に限定されるものではなく、本技術の要旨を逸脱しない範囲において種々の変更が可能である。例えば、本技術は、１つの機能を、ネットワークを介して複数の装置で分担、共同して処理するクラウドコンピューティングの構成をとることができる。また、上述のフローチャートで説明した各ステップは、１つの装置で実行する他、複数の装置で分担して実行することができる。さらに、１つのステップに複数の処理が含まれる場合には、その１つのステップに含まれる複数の処理は、１つの装置で実行する他、複数の装置で分担して実行することができる。
【０１７１】
また、本技術は、以下のような構成をとることができる。
【０１７２】
（１）
拡張現実空間内でターゲットの位置に配置されるコンテンツを受信する受信部と、
実空間におけるユーザの現在位置から前記ターゲットの位置までの距離を示す距離情報を取得する距離情報取得部と、
前記距離情報に応じて、前記コンテンツの再生を制御する再生制御部と
を備える受信装置。
（２）
前記再生制御部は、前記コンテンツを、前記距離情報に応じて段階的に変化するように再生する
（１）に記載の受信装置。
（３）
前記ユーザの眼の前方に位置するように配置されて情報を表示するとともに、その表示領域を透明又は半透明な状態とすることができる表示部をさらに備え、
前記表示部は、再生中の前記コンテンツの映像を表示する
（１）又は（２）に記載の受信装置。
（４）
再生中の前記コンテンツの音声を出力する音声出力部をさらに備える
（３）に記載の受信装置。
（５）
任意のセグメントによる放送であるエリア放送を受信するためのチャンネル情報を取得するチャンネル情報取得部をさらに備え、
前記受信部は、前記チャンネル情報を用いて、前記エリア放送を行う送信機から送信される放送波を受信することが可能な放送エリアにおいて、前記エリア放送のコンテンツを受信する
（１）乃至（４）のいずれか一項に記載の受信装置。
（６）
前記距離情報取得部は、前記ユーザの現在位置と、前記チャンネル情報に含まれる前記送信機の送信点位置を用いて前記距離情報を算出する
（５）に記載の受信装置。
（７）
前記距離情報取得部は、前記ユーザの現在位置と、前記ターゲットの位置を用いて前記距離情報を算出する
（５）に記載の受信装置。
（８）
前記再生制御部は、前記チャンネル情報に含まれる距離基準情報を基準にして、前記コンテンツを、前記距離情報に応じて段階的に変化するように再生する
（５）乃至（７）のいずれか一項に記載の受信装置。
（９）
前記再生制御部は、前記コンテンツの映像と音声のうち少なくとも一方の再生を段階的に変化させる
（８）のいずれか一項に記載の受信装置。
（１０）
前記再生制御部は、前記ユーザの現在位置と、前記ターゲットの位置との距離が近づくに連れて、前記コンテンツの音声の音量が大きくなるようにする
（９）のいずれか一項に記載の受信装置。
（１１）
前記ユーザの視線の方向を示す視線情報を取得する視線情報取得部をさらに備え、
前記再生制御部は、前記視線情報に応じて、前記コンテンツを再生する
（１）乃至（１０）のいずれか一項に記載の受信装置。
（１２）
前記再生制御部は、前記ユーザの視線が前記ターゲットの方向にある場合、前記コンテンツの映像又は音声を再生し、前記ユーザの視線が前記ターゲットの方向にない場合、前記コンテンツの映像を停止するか又は音声の音量を調整する
（１１）に記載の受信装置。
（１３）
前記受信装置は、左眼用と右眼用の一対の前記表示部を有する眼鏡型の無線通信機である
（３）に記載の受信装置。
（１４）
受信装置の受信方法において、
前記受信装置が、
拡張現実空間内でターゲットの位置に配置されるコンテンツを受信し、
実空間におけるユーザの現在位置から前記ターゲットの位置までの距離を示す距離情報を取得し、
前記距離情報に応じて、前記コンテンツの再生を制御する
ステップを含む受信方法。
（１５）
任意のセグメントによる放送であるエリア放送のコンテンツを、受信機が受信するためのチャンネル情報であって、拡張現実空間でターゲットの位置に配置される前記エリア放送のコンテンツの再生の制御に用いられる情報を含む前記チャンネル情報を取得するチャンネル情報取得部と、
前記チャンネル情報を、前記受信機に送信する送信部と
を備える送信装置。
（１６）
前記チャンネル情報は、実空間におけるユーザの現在位置から前記ターゲットの位置までの距離を示す距離情報の計算に用いられる送信機の送信点位置を含む
（１５）に記載の送信装置。
（１７）
前記チャンネル情報は、前記エリア放送のコンテンツを前記距離情報に応じて段階的に変化するように再生させる際の基準となる距離基準情報を含む
（１６）に記載の送信装置。
（１８）
送信装置の送信方法において、
前記送信装置が、
任意のセグメントによる放送であるエリア放送のコンテンツを、受信機が受信するためのチャンネル情報であって、拡張現実空間でターゲットの位置に配置される前記エリア放送のコンテンツの再生の制御に用いられる情報を含む前記チャンネル情報を取得し、
前記チャンネル情報を、前記受信機に送信する
ステップを含む送信方法。
【符号の説明】
【０１７３】
１  エリア放送システム，  ２  無線ネットワーク，  ３  GPS衛星，  １０  ウェアラブル機器，  ２０  エリア放送送信装置，  ３０  情報サーバ，  １０１  CPU，  １０６，１０６Ｌ，１０６Ｒ  透過型のディスプレイ，  １０９  GPS部，  １１３  チューナ，  １１５  カメラ部，  １１７  視線検出用センサ，  １５１  制御プログラム，  １６１  チャンネル情報取得部，  １６２  位置情報取得部，  １６３  距離情報取得部，  １６４  視線情報取得部，  １６５  再生制御部，  ３０１  制御部，  ３０２  チャンネル情報取得部，  ３０４  通信部
【図１】
2015037242.tif 000003
【図２】
2015037242.tif 000004
【図３】
2015037242.tif 000005
【図４】
2015037242.tif 000006
【図５】
2015037242.tif 000007
【図６】
2015037242.tif 000008
【図７】
2015037242.tif 000009
【図８】
2015037242.tif 000010
【図９】
2015037242.tif 000011
【図１０】
2015037242.tif 000012
【図１１】
2015037242.tif 000013
【図１２】
2015037242.tif 000014
【図１３】
2015037242.tif 000015
【図１４】
2015037242.tif 000016
【図１５】
2015037242.tif 000017
【図１６】
2015037242.tif 000018
【図１７】
2015037242.tif 000019
【図１８】
2015037242.tif 000020
【図１９】
2015037242.tif 000021
【図２０】
2015037242.tif 000022